(57)【要約】【課題】電子レシートが既に出力された取引から容易に印刷対象を選択して紙レシートを印刷することが可能な電子レシートシステム、装置、方法およびプログラムを提供する。【解決手段】本発明の一実施形態に係る電子レシートシステム１０は、取引の内容を含む電子データである電子レシートを記録するサーバ３００と、印刷対象とする前記電子レシートの選択を受け付け、前記選択に係る選択情報を取得する携帯端末２００と、前記携帯端末から前記選択情報を受け取り、前記選択情報に基づいて前記サーバから前記印刷対象の印刷に用いられるデータを取得し、前記データに基づいて前記取引の内容を含む印刷物である紙レシートを印刷する印刷端末１００と、を備える。【選択図】図１
2020053098.tif 000002
【特許請求の範囲】
【請求項１】
店舗名、商品名、価格、税額、合計金額の少なくとも１つに関する、取引に係る情報を含む電子レシートの取引データを記憶する記憶手段と、
ユーザにより選択された複数の前記取引データに関する情報を受信する受信手段と、 
選択された複数の前記取引データに関連付けられた識別子を生成する生成手段と、
生成された前記識別子を出力する出力手段と、
を備えることを特徴とする電子レシートシステム。
【請求項２】
店舗名、商品名、価格、税額、合計金額の少なくとも１つに関する、取引に係る情報を含む電子レシートの取引データのユーザによる選択を受け付ける選択手段と、
前記取引データを記憶する記憶手段および選択された前記取引データに関連付けられた識別子を生成する生成手段を有するサーバから、生成された前記識別子を受信する受信手段と、
を備えることを特徴とする装置。
【請求項３】
店舗名、商品名、価格、税額、合計金額の少なくとも１つに関する、取引に係る情報を含む電子レシートの取引データを記憶する工程と、
ユーザにより選択された複数の前記取引データに関する情報を受信する工程と、
選択された複数の前記取引データに関連付けられた識別子を生成する工程と、
生成された前記識別子を出力する工程と、
を備えることを特徴とする方法。
【請求項４】
店舗名、商品名、価格、税額、合計金額の少なくとも１つに関する、取引に係る情報を含む電子レシートの取引データのユーザによる選択を受け付ける工程と、
前記取引データを記憶する記憶手段および選択された前記取引データに関連付けられた識別子を生成する生成手段を有するサーバから、生成された前記識別子を受信する工程と、
を備えることを特徴とする方法。
【請求項５】
コンピュータに、
店舗名、商品名、価格、税額、合計金額少なくとも１つに関する、取引に係る情報を含む電子レシートの取引データを記憶する工程と、
ユーザにより選択された複数の前記取引データに関する情報を受信する工程と、
選択された複数の前記取引データに関連付けられた識別子を生成する工程と、
生成された前記識別子を出力する工程と、
を実行させることを特徴とするプログラム。
【請求項６】
コンピュータに、
店舗名、商品名、価格、税額、合計金額の少なくとも１つに関する、取引に係る情報を含む電子レシートの取引データのユーザによる選択を受け付ける工程と、
前記取引データを記憶する記憶手段および選択された前記取引データに関連付けられた識別子を生成する生成手段を有するサーバから、生成された前記識別子を受信する工程と、
を備えることを特徴とするプログラム。
【発明の詳細な説明】
【技術分野】
【０００１】
本発明は、電子レシートに係る紙レシートを出力するシステム、装置、方法およびプログラムに関する。
【背景技術】
【０００２】
近年、商品（サービスを含む）を取引する際に、紙媒体のレシート（以下、紙レシートという）に代えて又は加えて、電子データのレシート（以下、電子レシートという）を出力するシステムが開発されている。電子レシートは、紙資源を必要とせず、また容易に管理や集計を行うことができるという利点がある。このようなシステムは、会計時の顧客の要望に従って、電子レシートおよび紙レシートの少なくとも一方を出力する。
【０００３】
顧客が会計時に電子レシートを希望した場合であっても、後で紙レシートを必要とする場合がある。特許文献１に記載のシステムにおいては、一旦電子レシートが出力された取引について顧客が紙レシートを必要とする場合に、ＰＯＳ端末は顧客の有する携帯端末から識別情報を読み取る。次いで、ＰＯＳ端末は、読み取られた識別情報に基づいて画面上に取引履歴を表示し、タッチパネルを用いて顧客による選択を受け付ける。そして、ＰＯＳ端末は、顧客により選択された取引の紙レシートを印刷する。このような構成により、特許文献１に記載のシステムは、既に電子レシートが出力された取引について紙レシートを印刷することができる。
【先行技術文献】
【特許文献】
【０００４】
【特許文献１】特開２０１３−１７５２１２号公報
【発明の概要】
【発明が解決しようとする課題】
【０００５】
しかしながら、特許文献１に記載のシステムでは、顧客がＰＯＳ端末の画面上で紙レシートの印刷を要する取引を見付ける必要があるため、選択に時間が掛かり、会計のためにＰＯＳ端末を利用したい他の顧客を妨げるという問題がある。特に顧客の取引履歴に多数の取引が含まれる場合には、ＰＯＳ端末の画面上で印刷対象の取引を短時間で見付けることは容易ではない。
【０００６】
本発明は、上述の問題に鑑みて行われたものであって、電子レシートが既に出力された取引から容易に印刷対象を選択して紙レシートを印刷することが可能な電子レシートシステム、装置、方法およびプログラムを提供することを目的とする。
【課題を解決するための手段】
【０００７】
本発明の第１の態様は電子レシートシステムであって、店舗名、商品名、価格、税額、合計金額の少なくとも１つに関する、取引に係る情報を含む電子レシートの取引データを記憶する記憶手段と、ユーザにより選択された複数の前記取引データに関する情報を受信する受信手段と、 選択された複数の前記取引データに関連付けられた識別子を生成する生成手段と、生成された前記識別子を出力する出力手段と、を備えることを特徴とする。
【０００８】
本発明の第２の態様は装置であって、店舗名、商品名、価格、税額、合計金額の少なくとも１つに関する、取引に係る情報を含む電子レシートの取引データのユーザによる選択を受け付ける選択手段と、前記取引データを記憶する記憶手段および選択された前記取引データに関連付けられた識別子を生成する生成手段を有するサーバから、生成された前記識別子を受信する受信手段と、を備えることを特徴とする。
【０００９】
本発明の第３の態様は方法であって、店舗名、商品名、価格、税額、合計金額の少なくとも１つに関する、取引に係る情報を含む電子レシートの取引データを記憶する工程と、ユーザにより選択された複数の前記取引データに関する情報を受信する工程と、選択された複数の前記取引データに関連付けられた識別子を生成する工程と、生成された前記識別子を出力する工程と、を備えることを特徴とする。
【００１０】
本発明の第４の態様は方法であって、店舗名、商品名、価格、税額、合計金額の少なくとも１つに関する、取引に係る情報を含む電子レシートの取引データのユーザによる選択を受け付ける工程と、前記取引データを記憶する記憶手段および選択された前記取引データに関連付けられた識別子を生成する生成手段を有するサーバから、生成された前記識別子を受信する工程と、を備えることを特徴とする。
【００１１】
本発明の第５の態様はプログラムであって、コンピュータに、店舗名、商品名、価格、税額、合計金額少なくとも１つに関する、取引に係る情報を含む電子レシートの取引データを記憶する工程と、ユーザにより選択された複数の前記取引データに関する情報を受信する工程と、選択された複数の前記取引データに関連付けられた識別子を生成する工程と、生成された前記識別子を出力する工程と、を実行させることを特徴とする。
【００１２】
本発明の第6の態様はプログラムであって、コンピュータに、店舗名、商品名、価格、税額、合計金額の少なくとも１つに関する、取引に係る情報を含む電子レシートの取引データのユーザによる選択を受け付ける工程と、前記取引データを記憶する記憶手段および選択された前記取引データに関連付けられた識別子を生成する生成手段を有するサーバから、生成された前記識別子を受信する工程と、を備えることを特徴とする。
【発明の効果】
【００１３】
本発明によれば、印刷対象の電子レシートを容易に選択して紙レシートとして印刷することができる。
【図面の簡単な説明】
【００１４】
【図１】第１の実施形態に係る電子レシートシステムの模式図である。
【図２】第１の実施形態に係る印刷端末の前面図である。
【図３】第１の実施形態に係る印刷端末および携帯端末の概略構成図である。
【図４】第１の実施形態に係る電子レシート管理サーバおよびＰＯＳ端末の概略構成図である。
【図５】第１の実施形態に係る電子レシートシステムにおいて紙レシート印刷のために授受されるデータを表す模式図である。
【図６】例示的な電子レシートの前面図である。
【図７】印刷対象を選択するための印刷対象選択画面の前面図である。
【図８】印刷対象の選択情報を表示する選択情報表示画面の前面図である。
【図９】紙レシートの印刷を行わない旨を顧客に通知するメッセージ画面の前面図である。
【図１０】選択内容を記録する選択内容データベースに含まれる例示的なテーブルを示す図である。
【図１１】第１の実施形態に係るレシート印刷処理のフローチャートを示す図である。
【図１２】第１の実施形態に係るレシート印刷処理のシーケンス図である。
【図１３】第１の実施形態に係る印刷端末の概略構成図である。
【図１４】第１の実施形態に係る携帯端末の概略構成図である。
【図１５】第２の実施形態に係る電子レシートシステムにおいて紙レシート印刷のために授受されるデータを表す模式図である。
【図１６】第２の実施形態に係るレシート印刷処理のフローチャートを示す図である。
【図１７】第２の実施形態に係るレシート印刷処理のシーケンス図である。
【図１８】選択情報を受け付ける入力画面の前面図である。
【発明を実施するための形態】
【００１５】
以下、図面を参照して、本発明の実施形態を説明するが、本発明は本実施形態に限定されるものではない。なお、以下で説明する図面で、同機能を有するものは同一符号を付け、その繰り返しの説明は省略することもある。
【００１６】
（第１の実施形態）
図１は、本実施形態に係る電子レシートシステム１０の模式図である。本実施形態において、電子レシートシステム１０は、ＰＯＳ（Ｐｏｉｎｔ  Ｏｆ  Ｓａｌｅ）システム（販売時点情報管理システム）の一部として構成される。電子レシートシステム１０は、紙レシートの印刷を行う印刷端末１００と、電子レシートの表示を行う携帯端末２００と、電子レシートの管理を行う電子レシート管理サーバ３００と、商品情報の読取および会計を行うＰＯＳ端末４００とを備える。印刷端末１００、携帯端末２００、電子レシート管理サーバ３００およびＰＯＳ端末４００は、インターネット等のネットワーク５００を介して、有線接続又は無線接続によって接続される。電子レシートシステム１０は、その他のサーバ、端末等の機器を含んでよい。
【００１７】
印刷端末１００は、電子レシート管理サーバ３００から取得した電子レシートの内容に基づいて紙レシートを印刷する機能を有する端末である。本明細書において紙レシートは取引の内容を含む印刷物を指し、取引明細や領収書等を含む。印刷端末１００は店舗に設置される独立した端末でよく、又はＰＯＳ端末４００のような他の端末と一体に構成されてよい。あるいは、印刷端末１００は顧客の家庭に設置されるコンピュータでもよい。
【００１８】
携帯端末２００は、顧客に持ち運ばれ、電子レシート管理サーバ３００から取得した電子レシートを表示する機能を有する端末である。電子レシート管理サーバ３００は、ＰＯＳ端末４００から送信された商品情報に基づいて電子レシートを作成および記録するサーバである。ＰＯＳ端末４００は、店舗に設置され、商品情報の読み取りおよび会計を行う端末である。
【００１９】
図２は、本実施形態に係る印刷端末１００の前面図である。印刷端末１００は、顧客に向けて情報を表示するディスプレイ１５０と、携帯端末２００から提示される選択情報である選択内容識別子を取得する取得部としての識別子読取部１６０と、紙レシートを印刷する印刷部としてのプリンタ１７０とを備える。
【００２０】
顧客は、携帯端末２００上で印刷対象の電子レシート（すなわち取引）を選択し、該選択に係る選択情報として、携帯端末２００上に選択内容に関連付けられた選択内容識別子（選択ＩＤともいう）を表示させる。そして、顧客は選択内容識別子を印刷端末１００の識別子読取部１６０に読み取らせる。印刷端末１００は、読み取られた選択内容識別子に基づいて、プリンタ１７０を用いて選択された取引の紙レシートを印刷する。レシート印刷処理の詳細については後述する。
【００２１】
図３は、本実施形態に係る印刷端末１００および携帯端末２００の概略構成図である。印刷端末１００は、上述のディスプレイ１５０、識別子読取部１６０およびプリンタ１７０に加えて、ＣＰＵ（Ｃｅｎｔｒａｌ  Ｐｒｏｃｅｓｓｉｎｇ  Ｕｎｉｔ）１１０と、メモリ１２０と、記憶装置１３０と、通信インターフェース１４０と、非接触ＩＣ（Ｉｎｔｅｇｒａｔｅｄ  Ｃｉｒｃｕｉｔ）通信部１８０とを備える。印刷端末１００は、図３に示す構成に限定されず、さらに入力装置やスピーカ等を備えてよい。
【００２２】
通信インターフェース１４０は、データの送受信を行う通信部であり、有線通信および無線通信の少なくとも一方の通信方式を実行可能に構成される。通信インターフェース１４０は、該通信方式に必要なプロセッサ、電気回路、アンテナ、接続端子等を含む。通信インターフェース１４０は、ＣＰＵ１１０からの信号に従って、該通信方式を用いてネットワーク５００に接続され、通信を行う。
【００２３】
記憶装置１３０は、印刷端末１００が実行するプログラムや、プログラムによる処理結果のデータ等を記憶する。記憶装置１３０は、読み取り専用のＲＯＭ（Ｒｅａｄ  Ｏｎｌｙ  Ｍｅｍｏｒｙ）や、読み書き可能のハードディスクドライブ又はフラッシュメモリ等を含む。また、記憶装置１３０は、ＣＤ−ＲＯＭ等のコンピュータ読取可能な可搬記憶媒体を含んでもよい。メモリ１２０は、ＣＰＵ１１０が処理中のデータや記憶装置１３０から読み出されたデータを一時的に記憶するＲＡＭ（Ｒａｎｄｏｍ  Ａｃｃｅｓｓ  Ｍｅｍｏｒｙ）等を含む。
【００２４】
ＣＰＵ１１０は、処理に用いる一時的なデータをメモリ１２０に一時的に記録し、記憶装置１３０に記録されたプログラムを読み出し、該プログラムに従って該一時的なデータに対して種々の演算、制御、判別などの処理動作を実行するプロセッサである。また、ＣＰＵ１１０は、記憶装置１３０に処理結果のデータを記録し、また通信インターフェース１４０を介して処理結果のデータを外部に送信する。
【００２５】
ディスプレイ１５０は、店員又は顧客に対して情報を表示する表示部である。ディスプレイ１５０として、ＣＲＴ（Ｃａｔｈｏｄｅ  Ｒａｙ  Ｔｕｂｅ）ディスプレイ、液晶ディスプレイ等の任意の表示装置を用いてよい。ディスプレイ１５０は、ＣＰＵ１１０からの信号に従って、商品名、合計金額等の所定の情報を表示する。
【００２６】
識別子読取部１６０は、携帯端末２００上に画像として表示された選択内容識別子を読み取る読取部であり、ＣＣＤ（Ｃｈａｒｇｅ  Ｃｏｕｐｌｅｄ  Ｄｅｖｉｃｅ）カメラ、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）カメラ等の任意の撮像装置を含む。本実施形態において、選択内容識別子は、選択内容（印刷対象として選択された取引）を直接表すものではなく、電子レシート管理サーバ３００に登録された選択内容に関連付けられた識別子である。本実施形態において、選択内容識別子はＱＲコード（登録商標）等の二次元コードを用いて表される。選択内容識別子は、二次元コードに限られず、その他の記号、文字、又はそれらの組み合わせ等の画像を用いて表されてよい。
【００２７】
プリンタ１７０は、ＣＰＵ１１０からの信号に従って、紙レシート、クーポン券等を印刷する。プリンタ１７０としては、サーマルプリンタ、インクジェットプリンタ、レーザプリンタ等の任意の印刷装置を用いてよい。
【００２８】
非接触ＩＣ通信部１８０は、携帯端末２００と通信を行うための通信部である。本実施形態において、非接触ＩＣ通信部１８０はＮＦＣを用いて通信を行うように構成されており、信号や電力の授受を行うアンテナ、および通信を制御する電気回路を含む。非接触ＩＣ通信部１８０が実行する通信方式として、印刷端末１００と携帯端末２００とが通信可能な任意の方式を用いてよい。例えば非接触ＩＣ通信の代わりに、Ｂｌｕｅｔｏｏｔｈ（登録商標）のような近距離無線通信を用いてもよい。
【００２９】
携帯端末２００は、ＣＰＵ２１０と、メモリ２２０と、記憶装置２３０と、移動体通信部２４０とを備える。さらに、携帯端末２００は、ディスプレイ２５０と、入力装置２６０と、非接触ＩＣ通信部２７０とを備える。携帯端末２００は、図３に示す構成に限定されず、さらにマイクやスピーカ等を備えてよい。
【００３０】
移動体通信部２４０は、データの送受信を行う通信部であり、移動体通信を実行可能に構成される。移動体通信部２４０は、移動体通信に必要なプロセッサ、電気回路、アンテナ等を含む。移動体通信部２４０は、ＣＰＵ２１０からの信号に従って、移動体通信を用いてネットワーク５００に接続され、通信を行う。携帯端末２００は、移動体通信の代わりに又は加えて、無線ＬＡＮ等の任意の無線通信によってネットワーク５００に接続され、通信を行ってもよい。
【００３１】
記憶装置２３０は、携帯端末２００が実行するプログラムや、プログラムによる処理結果のデータ等を記憶する。記憶装置２３０は、読み取り専用のＲＯＭや、読み書き可能のハードディスクドライブ又はフラッシュメモリ等を含む。また、記憶装置２３０は、ＣＤ−ＲＯＭ等のコンピュータ読取可能な可搬記憶媒体を含んでもよい。メモリ２２０は、ＣＰＵ２１０が処理中のデータや記憶装置２３０から読み出されたデータを一時的に記憶するＲＡＭ等を含む。
【００３２】
ＣＰＵ２１０は、処理に用いる一時的なデータをメモリ２２０に一時的に記録し、記憶装置２３０に記録されたプログラムを読み出し、該プログラムに従って該一時的なデータに対して種々の演算、制御、判別などの処理動作を実行するプロセッサである。また、ＣＰＵ２１０は、記憶装置２３０に処理結果のデータを記録し、また移動体通信部２４０を介して処理結果のデータを外部に送信する。
【００３３】
ディスプレイ２５０は、ユーザ（顧客）に対して情報を表示する表示部である。ディスプレイ２５０として、液晶ディスプレイ、有機ＥＬ（ＥｌｅｃｔｒｏＬｕｍｉｎｅｓｃｅｎｃｅ）ディスプレイ等の任意の表示装置を用いてよい。ディスプレイ２５０はタッチパネルとして構成されており、表示部だけでなく入力部としても機能する。ディスプレイ２５０は、ＣＰＵ２１０からの信号に従って、電子レシート等の所定の情報を表示する。入力装置２６０は、ボタンやタッチパネル等を含み、ユーザからの入力を受け付け、入力された内容を信号としてＣＰＵ２１０に送信する。
【００３４】
非接触ＩＣ通信部２７０は、印刷端末１００と通信を行うための通信部である。非接触ＩＣ通信部２７０は、印刷端末１００の非接触ＩＣ通信部１８０と同じ通信方式を実行可能に構成される。
【００３５】
図４は、本実施形態に係る電子レシート管理サーバ３００およびＰＯＳ端末４００の概略構成図である。電子レシート管理サーバ３００は、ＣＰＵ３１０と、メモリ３２０と、記憶装置３３０と、通信インターフェース３４０とを備える。電子レシート管理サーバ３００は、図４に示す構成に限定されず、ディスプレイや入力装置等をさらに備えてよい。電子レシート管理サーバ３００は独立したサーバでよく、又はＰＯＳサーバのような他のサーバと一体に構成されてよい。
【００３６】
通信インターフェース３４０は、データの送受信を行う通信部であり、有線通信および無線通信の少なくとも一方の通信方式を実行可能に構成される。通信インターフェース３４０は、該通信方式に必要なプロセッサ、電気回路、アンテナ、接続端子等を含む。通信インターフェース３４０は、ＣＰＵ３１０からの信号に従って、該通信方式を用いてネットワーク５００に接続され、通信を行う。
【００３７】
記憶装置３３０は、電子レシート管理サーバ３００が実行するプログラムや、プログラムによる処理結果のデータ等を記憶する。記憶装置３３０は、読み取り専用のＲＯＭや、読み書き可能のハードディスクドライブ又はフラッシュメモリ等を含む。また、記憶装置３３０は、ＣＤ−ＲＯＭ等のコンピュータ読取可能な可搬記憶媒体を含んでもよい。メモリ３２０は、ＣＰＵ３１０が処理中のデータや記憶装置３３０から読み出されたデータを一時的に記憶するＲＡＭ等を含む。
【００３８】
ＣＰＵ３１０は、処理に用いる一時的なデータをメモリ３２０に一時的に記録し、記憶装置３３０に記録されたプログラムを読み出し、該プログラムに従って該一時的なデータに対して種々の演算、制御、判別などの処理動作を実行するプロセッサである。また、ＣＰＵ３１０は、記憶装置３３０に処理結果のデータを記録し、また通信インターフェース３４０を介して処理結果のデータを外部に送信する。
【００３９】
ＰＯＳ端末４００は、ＣＰＵ４１０と、メモリ４２０と、記憶装置４３０と、通信インターフェース４４０とを備える。さらに、ＰＯＳ端末４００は、ディスプレイ４５０と、入力装置４６０と、商品情報読取部４７０と、プリンタ４８０とを備える。ＰＯＳ端末４００は、図４に示す構成に限定されず、会計の際に入出金を行うための入出金装置等をさらに備えてよい。
【００４０】
通信インターフェース４４０は、データの送受信を行う通信部であり、有線通信および無線通信の少なくとも一方の通信方式を実行可能に構成される。通信インターフェース４４０は、該通信方式に必要なプロセッサ、電気回路、アンテナ、接続端子等を含む。通信インターフェース４４０は、ＣＰＵ４１０からの信号に従って、該通信方式を用いてネットワーク５００に接続され、通信を行う。
【００４１】
記憶装置４３０は、ＰＯＳ端末４００が実行するプログラムや、プログラムによる処理結果のデータ等を記憶する。記憶装置４３０は、読み取り専用のＲＯＭや、読み書き可能のハードディスクドライブ又はフラッシュメモリ等を含む。また、記憶装置４３０は、ＣＤ−ＲＯＭ等のコンピュータ読取可能な可搬記憶媒体を含んでもよい。メモリ４２０は、ＣＰＵ４１０が処理中のデータや記憶装置４３０から読み出されたデータを一時的に記憶するＲＡＭ等を含む。
【００４２】
ＣＰＵ４１０は、処理に用いる一時的なデータをメモリ４２０に一時的に記録し、記憶装置４３０に記録されたプログラムを読み出し、該プログラムに従って該一時的なデータに対して種々の演算、制御、判別などの処理動作を実行するプロセッサである。また、ＣＰＵ４１０は、記憶装置４３０に処理結果のデータを記録し、また通信インターフェース４４０を介して処理結果のデータを外部に送信する。
【００４３】
ディスプレイ４５０は、店員又は顧客に対して情報を表示する表示部である。ディスプレイ４５０として、ＣＲＴディスプレイ、液晶ディスプレイ等の任意の表示装置を用いてよい。ディスプレイ４５０は、ＣＰＵ４１０からの信号に従って、商品名、合計金額等の所定の情報を表示する。入力装置４６０は、合計や入出金の実行を指示するキーボード等を含み、店員からの入力を受け付け、入力された内容を信号としてＣＰＵ４１０に送信する。
【００４４】
商品情報読取部４７０は、商品情報を読み取る読取部であり、ＣＣＤカメラ、ＣＭＯＳカメラ等の任意の撮像装置を含む。本実施形態において、商品情報は商品の識別子（例えばＪＡＮコード）を含み、バーコードを用いて表される。商品情報読取部４７０は、ＰＯＳ端末４００とは別の端末として設けられてよい。その場合には、該別の端末は、商品情報読取部４７０により商品情報を読み取り、該商品情報をＰＯＳ端末４００に送信する。
【００４５】
プリンタ４８０は、ＣＰＵ４１０からの信号に従って、紙レシート、領収書、クーポン券等を印刷する。プリンタ４８０としては、サーマルプリンタ、インクジェットプリンタ、レーザプリンタ等の任意の印刷装置を用いてよい。
【００４６】
図５は、本実施形態に係る電子レシートシステム１０において紙レシート印刷のために授受されるデータを表す模式図である。図５においては、授受されるデータとともに、データ授受の方向が矢印で表されている。まず、携帯端末２００は、ユーザ（顧客）から印刷対象とする取引の選択を受け付け、選択内容（例えば選択された取引のレシートＩＤのリスト）を含むデータを電子レシート管理サーバ３００に送信する。電子レシート管理サーバ３００は、携帯端末２００から受信した選択内容を記憶装置３３０に記録し、該選択内容に関連付けられた選択内容識別子を含むデータを携帯端末２００に送信する。換言すると、選択内容識別子は、印刷対象として選択された取引の第１の識別子（レシートＩＤ）のリストを一意に識別するための第２の識別子である。
【００４７】
次に、携帯端末２００は、紙レシートの印刷を実行する時に、電子レシート管理サーバ３００から受信した選択内容識別子を、選択情報として印刷端末１００に提示する。印刷端末１００は、携帯端末２００から読み取った選択内容識別子を含むデータを電子レシート管理サーバ３００に送信する。電子レシート管理サーバ３００は、印刷端末１００から受信した選択内容識別子に基づいて記憶装置３３０から選択内容を読み出し、さらに該選択内容に基づいて記憶装置３３０から電子レシートのデータを読み出す。そして、電子レシート管理サーバ３００は、電子レシートのデータから紙レシートの印刷に必要なデータを抽出し、印刷データとして印刷端末１００に送信する。
【００４８】
本実施形態では、印刷対象とする電子レシート（取引）の選択に係る選択情報として、印刷端末１００と携帯端末２００との間で選択内容に関連付けられた選択内容識別子を授受する。このような構成により、選択内容自体を授受するよりもデータ容量を低減することができる。そのため、バーコードや二次元コードのような低データ容量向けの情報授受方法によって選択内容の授受を行うことができる。選択情報として、選択内容を間接的に示す選択内容識別子ではなく、後述する第２の実施形態のように選択内容を直接的に示す情報（例えば、レシートＩＤのリスト）を用いてもよい。
【００４９】
図６は、本実施形態に係る電子レシートシステム１０により出力される例示的な電子レシートＡの前面図である。電子レシートＡは、携帯端末２００のディスプレイ２５０上に表示される。電子レシートＡに表示される情報は、電子レシート管理サーバ３００の記憶装置３３０に記録される。それぞれの電子レシートＡは電子レシートの識別子（レシートＩＤともいう）に関連付けられる。電子レシート管理サーバ３００は、携帯端末２００から電子レシートの識別子を受信し、該識別子に基づいて電子レシートＡに含まれる情報を記憶装置３３０から読み出して携帯端末２００に送信する。
【００５０】
電子レシートＡには、電子レシートの識別子であるレシートＩＤ、および既に紙レシートが印刷されたか否かが表示される。また、電子レシートＡは、店舗名、商品名、価格、税額、合計金額等、取引に係る任意の種類の情報を含む。電子レシートＡに含まれる情報の種類はユーザにより任意に選択されてよい。その場合には、電子レシート管理サーバ３００は、携帯端末２００からユーザが希望する情報の種類を示すデータを受信し、携帯端末２００に電子レシートＡの表示に必要な該種類の情報を含むデータを送信する。
【００５１】
図７は、印刷対象を選択するための印刷対象選択画面Ｂの前面図である。印刷対象選択画面Ｂは、携帯端末２００のディスプレイ２５０上に表示される。印刷対象選択画面Ｂはユーザが携帯端末２００において所定の操作を行うことによって起動される。印刷対象選択画面Ｂは、取引の概要を示す取引概要Ｂ１と、チェック欄Ｂ２と、確定ボタンＢ３と、リセットボタンＢ４とを含む。ユーザが取引概要Ｂ１を押下すると、電子レシートＡが表示される。ユーザがチェック欄Ｂ２を押下すると、チェック欄Ｂ２がＯＮの状態およびＯＦＦの状態との間で交互に切り替わる。ユーザは各取引の内容を確認し、紙レシートの印刷対象とする取引についてチェック欄Ｂ２をＯＮにすることによって選択を行う。選択の完了後に、ユーザが確定ボタンＢ３を押下すると、図８の選択情報表示画面Ｃに遷移する。ユーザがリセットボタンＢ４を押下すると、全てのチェック欄Ｂ２がＯＦＦの状態にリセットされる。
【００５２】
図８は、印刷対象の選択内容の識別子を表示する選択情報表示画面Ｃの前面図である。選択情報表示画面Ｃは、携帯端末２００のディスプレイ２５０上に表示される。選択情報表示画面Ｃは、選択内容識別子を表す画像である二次元コードＣ１、および戻るボタンＣ２を含む。また、選択情報表示画面Ｃ上には、二次元コードＣ１により表される選択内容識別子が文字列として表示される。
【００５３】
上述のように、選択内容識別子は、選択内容を直接表すものではなく、電子レシート管理サーバ３００に登録された選択内容に関連付けられた識別子である。具体的には、印刷対象選択画面Ｂの確定ボタンＢ３が押下される際に、携帯端末２００は、印刷対象選択画面Ｂにおいて印刷対象として選択された取引（すなわち選択内容）を電子レシート管理サーバ３００に送信する。電子レシート管理サーバ３００は受信された選択内容を該選択内容に関連付けられた選択内容識別子とともに登録する。そして、電子レシート管理サーバ３００は選択内容識別子を携帯端末２００に送信する。携帯端末２００は受信された選択内容識別子を二次元コードＣ１に変換して選択情報表示画面Ｃに表示する。換言すると、ディスプレイ２５０は、印刷端末１００へ選択情報を渡す提示部として機能する。ユーザが戻るボタンＣ２を押下すると、図７の印刷対象選択画面Ｂに遷移する。
【００５４】
ユーザが携帯端末２００のディスプレイ２５０上に表示された二次元コードＣ１を印刷端末１００の識別子読取部１６０に読み取らせることが、印刷端末１００への印刷の要求となる。印刷端末１００は、読み取られた二次元コードＣ１から選択内容識別子を取得し、該選択内容識別子を電子レシート管理サーバ３００に送信し、電子レシート管理サーバ３００から印刷データを受信する。換言すると、識別子読取部１６０は、携帯端末２００から提示される選択情報を取得する取得部として機能する。受信された印刷データに含まれる各取引について、１つの取引の商品（サービスを含む）の合計金額が所定の値未満の場合には、印刷端末１００はプリンタ１７０を用いて紙レシートの印刷を行う。一方、受信された印刷データに含まれる各取引について、１つの取引の合計金額が所定の値以上の場合には、印刷端末１００は紙レシートの印刷を行わず、代わりにディスプレイ１５０を用いて紙レシートの印刷を行わない旨を通知するメッセージの表示を行う。
【００５５】
図９は、紙レシートの印刷を行わない旨を顧客に通知するメッセージ画面Ｆの前面図である。メッセージ画面Ｆは、印刷端末１００のディスプレイ１５０上に表示される。メッセージ画面Ｆは、紙レシートの印刷を行わない旨を顧客に通知するメッセージを含む。例えば所定の金額（例えば５万円）以上の合計金額を有する取引の場合には、紙レシートに収入印紙の貼付が必要になる。このような場合には印刷端末１００では紙レシートの印刷を行わず、店員のいるカウンターにおいて印刷を行う方が便利である。そのため、印刷端末１００は、印刷対象の取引の合計金額が所定金額以上の場合には、紙レシートの印刷を行わず、通知メッセージを表示することによって顧客を店員のいるカウンターへ誘導する。紙レシートの印刷を行わない旨の通知は、メッセージ表示に限られず、音声出力やランプ点灯等の任意の通知方法によって行われてよい。
【００５６】
図１０（ａ）、１０（ｂ）は、本実施形態において選択内容を記録する選択内容データベースに含まれる例示的なテーブルを示す図である。選択内容データベースは、電子レシート管理サーバ３００の記憶装置３３０に記録される。図１０（ａ）は、選択ＩＤとレシートＩＤとを関連付けて記録する選択内容テーブルＤを示す。選択内容テーブルＤは、選択ＩＤ欄Ｄ１と、レシートＩＤ欄Ｄ２とを含む。選択ＩＤ欄Ｄ１には、印刷対象として選択された取引の識別子（選択内容識別子）としての選択ＩＤが記録される。選択ＩＤとして、所定の長さの文字列又は数値を用いてよい。レシートＩＤ欄Ｄ２には、取引の識別子としてのレシートＩＤが記録される。レシートＩＤは、電子レシートに一意に関連付けられる。レシートＩＤとして、所定の長さの文字列又は数値を用いてよい。
【００５７】
選択内容テーブルＤには、選択ＩＤ欄Ｄ１およびレシートＩＤ欄Ｄ２が互いに関連付けられて記録される。そのため、指定された選択ＩＤが選択内容テーブルＤに登録されている場合には、該選択ＩＤに基づいて１個以上のレシートＩＤを取得することができる。また、指定された選択ＩＤが選択内容テーブルＤに登録されていない場合には、該選択ＩＤに基づいてレシートＩＤを取得できない、すなわち印刷対象の取引が未選択であることを取得することができる。携帯端末２００において印刷対象の取引が選択されて電子レシート管理サーバ３００に送信された際に、該選択ごとに選択ＩＤが割り振られて選択ＩＤ欄Ｄ１に記録され、さらに該選択に含まれるレシートＩＤがレシートＩＤ欄Ｄ２に記録される。
【００５８】
図１０（ｂ）は、各電子レシートが印刷済であるか否かを記録する印刷状況テーブルＥを示す。印刷状況テーブルＥは、レシートＩＤ欄Ｅ１と、印刷状況欄Ｅ２とを含む。レシートＩＤ欄Ｅ１には、選択内容テーブルＤのレシートＩＤ欄Ｄ２と共通のレシートＩＤが記録される。印刷状況欄Ｅ２には、印刷が既に行われたレシートＩＤの場合には「済」が記録され、そうでない場合には「未」が記録される。印刷状況テーブルＥには、レシートＩＤ欄Ｅ１をキーとして、印刷状況欄Ｅ２が関連付けられて記録される。そのため、指定されたレシートＩＤに基づいて、印刷状況テーブルＥから印刷状況の値を一意に取得することができる。印刷端末１００において印刷が行われる際に、該印刷が行われるレシートＩＤについて、印刷状況欄Ｅ２が「済」に更新される。
【００５９】
図１０（ａ）、１０（ｂ）には例示的なテーブル構成が示されているが、選択内容データベースはこのテーブル構成に限定されない。例えば、図１０（ａ）および図１０（ｂ）のテーブルが結合されて１つのテーブルとして記録されてよい。また、選択内容データベースは、他のデータベース（例えば電子レシートを記録するデータベース）の一部として構成されてもよい。
【００６０】
図１１は、本実施形態に係るレシート印刷処理のフローチャートを示す図である。図１２は、本実施形態に係るレシート印刷処理のシーケンス図である。電子レシート出力処理は、印刷端末１００、携帯端末２００および電子レシート管理サーバ３００により協同して行われる。電子レシート出力処理は、例えば顧客が携帯端末２００上で開始の操作を行うことによって開始される。
【００６１】
まず、携帯端末２００は、電子レシート管理サーバ３００に電子レシート一覧の要求を送信する（ステップＳ１１）。電子レシート一覧の要求は、携帯端末２００のユーザ（顧客）を表すユーザ識別子（例えばメールアドレスや会員番号等）を含む。電子レシート管理サーバ３００は、携帯端末２００から受信したユーザ識別子に関連付けられた電子レシートの一覧のデータを記憶装置３３０から読み出し、携帯端末２００に送信する（ステップＳ１２）。電子レシート一覧のデータは、図７の印刷対象選択画面Ｂに表示される情報（例えば日時、店舗名、合計金額等）を含む。
【００６２】
次に、携帯端末２００は、電子レシート管理サーバ３００から受信した電子レシート一覧に基づいて印刷対象選択画面Ｂをディスプレイ２５０に表示し、ユーザによる印刷対象の選択を受け付ける（ステップＳ１３）。１個以上の電子レシートが選択された状態でユーザにより印刷対象選択画面Ｂの確定ボタンＢ３が押下されると、携帯端末２００は、印刷対象として選択された電子レシート（すなわちレシートＩＤ）のリストを選択内容のデータとして電子レシート管理サーバ３００に送信する（ステップＳ１４）。電子レシート管理サーバ３００は、携帯端末２００から受信した選択内容に選択内容識別子としての選択ＩＤを割り振り、選択ＩＤと選択内容とを関連付けて記憶装置３３０中の選択内容テーブルＤに登録する。具体的には、電子レシート管理サーバ３００は、選択内容テーブルＤにおいて、選択ＩＤ欄Ｄ１が選択ＩＤであり、レシートＩＤ欄Ｄ２が選択内容に含まれるレシートＩＤである行を挿入する。選択ＩＤとしては、新たに生成されたものを用いてよく、又はそのユーザに過去に割り振られたものを再利用してよい。そして、電子レシート管理サーバ３００は、選択内容識別子としての選択ＩＤを携帯端末２００に送信する（ステップＳ１５）。
【００６３】
次に、携帯端末２００は、印刷端末１００に対して選択ＩＤを提示し、印刷の要求を行う（ステップＳ１６）。具体的には、携帯端末２００は、電子レシート管理サーバ３００から受信した選択内容識別子を表す二次元コードＣ１の画像を生成し、該二次元コードＣ１の画像を含む選択情報表示画面Ｃをディスプレイ２５０に表示する。ユーザは二次元コードＣ１を印刷端末１００の識別子読取部１６０に読み取らせることによって、印刷端末１００に印刷の要求を行うとともに、選択内容識別子を渡す。
【００６４】
次に、印刷端末１００は、電子レシート管理サーバ３００に対して印刷データの要求を行う（ステップＳ１７）。印刷データの要求は、携帯端末２００から読み取った選択内容識別子を含む。電子レシート管理サーバ３００は、印刷端末１００から受信した選択内容識別子に関連付けられた選択内容を記憶装置３３０から読み出し、さらに該選択内容（すなわち印刷対象として選択されたレシートＩＤのリスト）に関連付けられた電子レシートのデータを記憶装置３３０から読み出す（ステップＳ１８）。そして、電子レシート管理サーバ３００は、レシートＩＤのリストに係る電子レシートのデータから紙レシートの印刷に必要なデータを抽出し、印刷データとして印刷端末１００に送信する。印刷データは、紙レシートに表示される情報（例えば日時、店舗名、商品名、価格、税額等）を含む。
【００６５】
印刷端末１００は、電子レシート管理サーバ３００から受信した印刷データの中の１個の取引について、該取引に含まれる商品の合計金額が所定の金額（例えば５万円）未満の場合に（ステップＳ１９のＹＥＳ）、紙レシートの印刷を行う（ステップＳ２０）。一方、印刷端末１００は、１個の取引について合計金額が所定の金額以上の場合に（ステップＳ１９のＮＯ）、紙レシートの印刷を行わず、メッセージ画面Ｆをディスプレイ１５０に表示する（ステップＳ２１）。
【００６６】
印刷データに含まれる全てのレシートＩＤについてステップＳ２０の紙レシート印刷又はステップＳ２１のメッセージ表示が完了していない場合に（ステップＳ２２のＮＯ）、次のレシートＩＤについてステップＳ１９〜Ｓ２１を繰り返す。
【００６７】
印刷データに含まれる全てのレシートＩＤについてステップＳ２０の紙レシート印刷又はステップＳ２１のメッセージ表示が完了した場合に（ステップＳ２２のＹＥＳ）、印刷端末１００は電子レシート管理サーバ３００に印刷結果（すなわち印刷を行ったレシートＩＤのリスト）を送信する（ステップＳ２３）。そして、電子レシート管理サーバ３００は、印刷端末１００から受信した印刷結果に基づいて、記憶装置３３０中の印刷状況テーブルＥを更新する。具体的には、電子レシート管理サーバ３００は、印刷状況テーブルＥにおいて、印刷結果に含まれるレシートＩＤがレシートＩＤ欄Ｅ１に設定されている行に対して、印刷状況欄Ｅ２に「済」を設定する。
【００６８】
本実施形態では、紙レシートを印刷しようとしている取引（すなわちレシートＩＤ）が印刷済か否かによらずステップＳ２０の紙レシートの印刷を行っているが、印刷時に印刷状況テーブルＥを参照して印刷済である（すなわち、印刷状況欄Ｅ２に「済」が設定されている）レシートＩＤの場合には、ステップＳ２０の紙レシート印刷をスキップしてもよい。この場合には、印刷端末１００のディスプレイ１５０に印刷済である旨の表示を行ってよい。
【００６９】
印刷端末１００のＣＰＵ１１０、携帯端末２００のＣＰＵ２１０および電子レシート管理サーバ３００のＣＰＵ３１０は、図１１に示す処理に含まれる各ステップの主体となる。すなわち、ＣＰＵ１１０、ＣＰＵ２１０およびＣＰＵ３１０は、図１１に示す処理を実行するためのプログラムをそれぞれ記憶装置１３０、記憶装置２３０および記憶装置３３０から読み出し、該プログラムを実行して各部を制御することによって図１１に示す処理を実行する。
【００７０】
本実施形態に係る電子レシートシステム１０は、携帯端末２００において予め印刷対象とする電子レシートを選択しておき、携帯端末２００を印刷端末１００に提示するだけで紙レシートの印刷を行うことができる。そのため、特許文献１に記載のシステムのように印刷端末の前で印刷対象の選択を行う必要がなく、容易に印刷対象の電子レシートから紙レシートを印刷することができ、印刷端末の占有時間を短くすることができる。
【００７１】
さらに、本実施形態では携帯端末２００から印刷端末１００へ選択内容自体ではなく選択内容の識別子を渡すため、携帯端末２００と印刷端末１００との間で授受されるデータ容量が少ない。したがって、二次元コード読み取りのような簡便な方法で携帯端末２００から印刷端末１００へ選択情報を渡すことができる。
【００７２】
本実施形態では携帯端末２００上に選択内容識別子を表示するが、携帯端末２００とは別の会員カードに印刷されたバーコードや二次元コード等の識別子によって、印刷端末１００に選択内容識別子を渡してもよい。この場合には、電子レシート管理サーバ３００において、会員カードの識別子は携帯端末２００のユーザ情報と予め関連付けられており、携帯端末２００のユーザ情報は選択内容と関連付けられている。印刷端末１００は顧客から提示された会員カードの識別子を読み取り、該会員カードの識別子を電子レシート管理サーバ３００に送信する。電子レシート管理サーバ３００は、印刷端末１００から受信した会員カードの識別子に関連付けられた携帯端末２００のユーザ情報を取得し、さらに該ユーザ情報に関連付けられた選択内容を読み出す。これにより、電子レシート管理サーバ３００は、会員カードの識別子に基づいて携帯端末２００の選択内容を取得することができる。
【００７３】
図１３は、印刷端末１００の概略構成図である。図１３には、印刷端末１００が電子レシートの選択に係る選択情報に基づいて紙レシートを印刷する装置として機能するための構成例が示されている。印刷端末１００は、印刷対象とする取引の内容を含む電子データである電子レシートの選択に係る選択情報を取得する取得部としての識別子読取部１６０と、電子レシートを記録するサーバから、選択情報に基づいて印刷対象の印刷に用いられるデータを取得する通信部としての通信インターフェース１４０と、データに基づいて、取引の内容を含む印刷物である紙レシートを印刷する印刷部としてのプリンタ１７０と、を備える。
【００７４】
図１４は、携帯端末２００の概略構成図である。図１４には、携帯端末２００が電子レシートの選択に係る選択情報の入力を受け付けて提示する装置として機能するための構成例が示されている。携帯端末２００は、印刷対象とする電子レシートの選択を受け付ける入力部として、かつ入力部における選択を選択情報としてサーバに渡す提示部としてのディスプレイ２５０と、を備える。また、提示部は、入力部における選択を、サーバではなく印刷端末に渡すように構成されてもよい。また、提示部として、ディスプレイ２５０の代わりに非接触ＩＣ通信部２７０を用いてもよい。
【００７５】
（第２の実施形態）
第１の実施形態では、携帯端末２００から印刷端末１００に、選択内容自体ではなく選択内容に関連付けられた選択内容識別子が選択情報として渡される。それに対して、本実施形態では、携帯端末２００から印刷端末１００に選択内容自体が選択情報として渡される。本実施形態は、第１の実施形態と同様の電子レシートシステム１０を用いる。以下では、第１の実施形態と異なる部分を説明する。
【００７６】
図１５は、本実施形態に係る電子レシートシステム１０において紙レシート印刷のために授受されるデータを表す模式図である。図１５においては、授受されるデータとともに、データ授受の方向が矢印で表されている。まず、携帯端末２００は、ユーザ（顧客）から印刷対象とする取引の選択を受け付け、選択内容（例えば選択された取引のレシートＩＤのリスト）を含むデータを印刷端末１００に送信する。印刷端末１００は、携帯端末２００から受信した選択内容を受信し、該選択内容を含むデータを電子レシート管理サーバ３００に送信する。電子レシート管理サーバ３００は、印刷端末１００から受信した選択内容に基づいて記憶装置３３０から電子レシートのデータを読み出す。そして、電子レシート管理サーバ３００は、電子レシートのデータから紙レシートの印刷に必要なデータを抽出し、印刷データとして印刷端末１００に送信する。
【００７７】
本実施形態では、印刷端末１００の非接触ＩＣ通信部１８０と携帯端末２００の非接触ＩＣ通信部２７０との間で、非接触ＩＣ通信であるＮＦＣを用いて選択情報としての選択内容を送受信する。すなわち、非接触ＩＣ通信部１８０は、携帯端末２００から提示される選択情報を取得する取得部として機能する。また、非接触ＩＣ通信部２７０は、印刷端末１００へ選択情報を渡す提示部として機能する。非接触ＩＣ通信の代わりに、Ｂｌｕｅｔｏｏｔｈ（登録商標）のような近距離無線通信を用いて選択内容を送受信してもよい。
【００７８】
図１６は、本実施形態に係るレシート印刷処理のフローチャートを示す図である。図１７は、本実施形態に係るレシート印刷処理のシーケンス図である。ステップＳ１１〜Ｓ１３は、第１の実施形態と同様である。
【００７９】
ステップＳ１３において携帯端末２００上で印刷対象の取引が選択された後に、携帯端末２００は、印刷端末１００に対して選択内容を提示し、印刷の要求を行う（ステップＳ２４）。具体的には、携帯端末２００は、印刷対象選択画面Ｂ上で印刷対象として選択された電子レシート（すなわちレシートＩＤ）のリストを、選択内容のデータとして非接触ＩＣ通信部２７０を用いて印刷端末１００へ送信する。印刷端末１００は、非接触ＩＣ通信部１８０を用いて携帯端末２００から選択内容のデータを受信する。
【００８０】
次に、印刷端末１００は、電子レシート管理サーバ３００に対して印刷データの要求を行う（ステップＳ２５）。印刷データの要求は、携帯端末２００から受信した選択内容を含む。電子レシート管理サーバ３００は、印刷端末１００から受信した選択内容（すなわち印刷対象として選択されたレシートＩＤのリスト）に関連付けられた電子レシートのデータを記憶装置３３０から読み出す（ステップＳ２６）。そして、電子レシート管理サーバ３００は、レシートＩＤのリストに係る電子レシートのデータから紙レシートの印刷に必要なデータを抽出し、印刷データとして印刷端末１００に送信する。その後、第１の実施形態と同様のステップＳ１９〜Ｓ２３が行われる。
【００８１】
本実施形態に係る電子レシートシステム１０は、携帯端末２００から印刷端末１００へ直接選択内容を渡すことができる。また、本実施形態は、第１の実施形態と同様に容易に印刷対象の電子レシートから紙レシートを印刷することができ、印刷端末の占有時間を短くすることができる。
【００８２】
（第３の実施形態）
第１の実施形態において印刷端末１００は二次元コードを用いて選択情報を取得し、第２の実施形態において印刷端末１００は非接触ＩＣ通信を用いて選択情報を取得する。それに対して、本実施形態において印刷端末１００は、印刷端末１００上で顧客による入力を受け付けることによって選択情報を取得する。本実施形態は、第１の実施形態と同様の電子レシートシステム１０を用いる。以下では、第１の実施形態と異なる部分を説明する。
【００８３】
図１８は、選択情報を受け付ける入力画面Ｇの前面図である。入力画面Ｇは、印刷端末１００のディスプレイ１５０上に表示される。入力画面Ｇは、顧客に選択ＩＤの入力を促すメッセージＧ１と、選択ＩＤ欄Ｇ２とを含む。本実施形態においてディスプレイ１５０は入力部であるタッチパネルとして構成されており、入力画面Ｇ上に表示されるソフトウェアキーボードＧ３を介して顧客による選択ＩＤ欄Ｇ２への入力を受け付ける。これに代えて、印刷端末１００にハードウェアキーボードを設け、ハードウェアキーボードによって顧客による入力を受け付けてもよい。
【００８４】
顧客は、例えば図８の選択情報表示画面Ｃに表示された選択ＩＤを参照し、ソフトウェアキーボードＧ３を用いて選択ＩＤ欄Ｇ２に選択ＩＤを入力した後、確定ボタンを押下する。印刷端末１００は、選択ＩＤ欄Ｇ２に入力された選択内容識別子としての選択ＩＤを取得する。すなわち、本実施形態においてはディスプレイ１５０が選択情報を取得する取得部として機能する。選択ＩＤを取得した後は、印刷端末１００は第１の実施形態と同様に電子レシート管理サーバ３００に対して印刷データの要求を行い、受信した印刷データを用いて紙レシートの印刷を行う。
【００８５】
本実施形態に係る電子レシートシステム１０は、顧客による手入力で選択情報を入力するため、印刷端末１００は二次元コードを撮像するためのカメラや非接触ＩＣ通信部を有さなくとも選択情報を取得することができる。また、本実施形態は、第１の実施形態と同様に容易に印刷対象の電子レシートから紙レシートを印刷することができ、印刷端末の占有時間を短くすることができる。
【００８６】
本発明は、上述の実施形態に限定されることなく、本発明の趣旨を逸脱しない範囲において適宜変更可能である。
【００８７】
上述の各実施形態の機能を実現するように該実施形態の構成を動作させるプログラム（例えば、図１１および１４に示す処理を印刷端末１００、携帯端末２００および電子レシート管理サーバ３００に実行させるプログラム）を記録媒体に記録させ、該記録媒体に記録されたプログラムをコードとして読み出し、コンピュータである受信局において実行する処理方法も各実施形態の範疇に含まれる。すなわち、コンピュータ読取可能な記録媒体も各実施形態の範囲に含まれる。また、上述のコンピュータプログラムが記録された記録媒体はもちろん、そのコンピュータプログラム自体も各実施形態に含まれる。
【００８８】
該記録媒体としては例えばフロッピー（登録商標）ディスク、ハードディスク、光ディスク、光磁気ディスク、ＣＤ−ＲＯＭ、磁気テープ、不揮発性メモリカード、ＲＯＭを用いることができる。また該記録媒体に記録されたプログラム単体で処理を実行しているものに限らず、他のソフトウェア、拡張ボードの機能と共同して、ＯＳ上で動作して処理を実行するものも各実施形態の範疇に含まれる。
【００８９】
上記の実施形態の一部又は全部は、以下の付記のようにも記載されうるが、以下には限られない。
【００９０】
（付記１）
取引の内容を含む電子データである電子レシートを記録するサーバと、
印刷対象とする前記電子レシートの選択を受け付け、前記選択に係る選択情報を取得する携帯端末と、
前記携帯端末から前記選択情報を受け取り、前記選択情報に基づいて前記サーバから前記印刷対象の印刷に用いられるデータを取得し、前記データに基づいて前記取引の内容を含む印刷物である紙レシートを印刷する印刷端末と、
を備えることを特徴とする電子レシートシステム。
【００９１】
（付記２）
前記選択情報は、前記電子レシートの選択内容に関連付けられた識別子であり、
前記サーバは、前記選択内容および前記識別子を記録し、
前記印刷端末は、前記携帯端末から受け取った前記識別子を前記サーバに送信することによって、前記サーバから前記データを取得することを特徴とする付記１に記載の電子レシートシステム。
【００９２】
（付記３）
前記選択情報は、前記電子レシートの選択内容であり、
前記印刷端末は、前記携帯端末から受け取った前記選択内容を前記サーバに送信することによって、前記サーバから前記データを取得することを特徴とする付記１に記載の電子レシートシステム。
【００９３】
（付記４）
前記携帯端末は、前記選択情報を示す画像を画面上に表示し、
前記印刷端末は、前記携帯端末から前記画像を読み取り、前記画像に基づいて前記選択情報を取得することを特徴とする付記１〜３のいずれか一項に記載の電子レシートシステム。
【００９４】
（付記５）
前記印刷端末は、前記印刷対象である前記電子レシートに含まれる商品の合計金額が所定金額以上の場合には、前記紙レシートの印刷を行わずに所定の通知を行うことを特徴とする付記１〜４のいずれか一項に記載の電子レシートシステム。
【００９５】
（付記６）
取引の内容を含む電子データである電子レシートを印刷対象として選択した携帯端末から、前記選択に係る選択情報を受け取る読取部と、
前記電子レシートを記録するサーバから、前記選択情報に基づいて前記印刷対象の印刷に用いられるデータを取得する通信部と、
前記データに基づいて、前記取引の内容を含む印刷物である紙レシートを印刷する印刷部と、
を備えることを特徴とする装置。
【００９６】
（付記７）
取引の内容を含む電子データである電子レシートを記録するサーバ、および印刷対象とする前記電子レシートの選択に係る選択情報を取得し、前記選択情報に基づいて前記サーバから前記印刷対象の印刷に用いられるデータを取得し、前記データに基づいて前記取引の内容を含む印刷物である紙レシートを印刷する印刷端末を含む電子レシートシステムにおいて、
前記印刷対象とする前記電子レシートの選択を受け付ける入力部と、
前記選択を前記選択情報として前記サーバ又は前記印刷端末に渡す提示部と、
を備えることを特徴とする装置。
【００９７】
（付記８）
取引の内容を含む電子データである電子レシートを印刷対象として選択した携帯端末から、前記選択に係る選択情報を受け取る工程と、
前記電子レシートを記録するサーバから、前記選択情報に基づいて前記印刷対象の印刷に用いられるデータを取得する工程と、
前記データに基づいて、前記取引の内容を含む印刷物である紙レシートを印刷する工程と、
を備えることを特徴とする方法。
【００９８】
（付記９）
コンピュータに、
取引の内容を含む電子データである電子レシートを印刷対象として選択した携帯端末から、前記選択に係る選択情報を受け取る工程と、
前記電子レシートを記録するサーバから、前記選択情報に基づいて前記印刷対象の印刷に用いられるデータを取得する工程と、
前記データに基づいて、前記取引の内容を含む印刷物である紙レシートを印刷する工程と、
を実行させることを特徴とするプログラム。
【符号の説明】
【００９９】
１０  電子レシートシステム
１００  印刷端末
１６０  識別子読取部
１７０  プリンタ
２００  携帯端末
３００  電子レシート管理サーバ
４００  ＰＯＳ端末
【図１】
2020053098.tif 000003
【図２】
2020053098.tif 000004
【図３】
2020053098.tif 000005
【図４】
2020053098.tif 000006
【図５】
2020053098.tif 000007
【図６】
2020053098.tif 000008
【図７】
2020053098.tif 000009
【図８】
2020053098.tif 000010
【図９】
2020053098.tif 000011
【図１０】
2020053098.tif 000012
【図１１】
2020053098.tif 000013
【図１２】
2020053098.tif 000014
【図１３】
2020053098.tif 000015
【図１４】
2020053098.tif 000016
【図１５】
2020053098.tif 000017
【図１６】
2020053098.tif 000018
【図１７】
2020053098.tif 000019
【図１８】
2020053098.tif 000020